(57)【要約】【課題】第２シートの空気溝の幅寸法を比較的広く設定した場合でも、第１シートと第２シートとの積層時における第１シートの粘着部の空気溝内への入り込みを防げる。【解決手段】板ばねである可動接点５を保持する粘着部１ｃを有するＥＬシート１に、可動接点５が収容される接点収容部２ａ、及びこの接点収容部２ａに連通する貫通孔から成る空気溝２ｂを有する絶縁性シート２を積層して一体化して成るとともに、絶縁性シート２に形成された空気溝２ｂに対向するＥＬシート１の部分に非粘着部１ｄを設けてある。この非粘着部１ｄは、例えば絶縁性シート２の空気溝２ｂに沿って部分的に設けてあり、また、空気溝２ｂよりも長さ方向及び幅方向に大きく形成してある。【選択図】図６
2007122970.tif 000002
【特許請求の範囲】
【請求項１】
板ばねを保持する粘着部を有する第１シートに、上記板ばねが収容される板ばね収容部と、この板ばね収容部に連通する貫通孔から成る空気溝とを有する第２シートを積層して一体化して成る板ばね付きシートであって、
上記第２シートに形成された空気溝に対向する上記第１シートの部分に非粘着部を設けたことを特徴とする板ばね付きシート。
【請求項２】
上記請求項１記載の発明において、
上記第１シートの上記非粘着部を、上記第２シートの上記空気溝に沿って部分的に設けたことを特徴とする板ばね付きシート。
【請求項３】
上記請求項２記載の発明において、
上記第１シートの上記非粘着部を、上記第２シートの上記空気溝よりも長さ方向及び幅方向に大きく形成したことを特徴とする板ばね付きシート。
【請求項４】
上記請求項１記載の発明において、
上記第１シートの上記粘着部、及び上記非粘着部を印刷によって形成したことを特徴とする板ばね付きシート。
【請求項５】
上記請求項１記載の発明において、
上記板ばねが、スイッチ部を形成する可動接点から成ることを特徴とする板ばね付きシート。
【請求項６】
上記請求項１記載の発明において、
上記第２シートの上記第１シートが積層される面と反対側の面に粘着部を設け、この粘着部に上記第２シートからの剥離が可能な剥離シートを接着したことを特徴とする板ばね付きシート。
【請求項７】
スイッチ基板に、上記請求項１〜６のいずれか１項記載の板ばね付きシートを積層し、上記スイッチ基板に形成されるスイッチ部に上記板ばね付きシートの上記板ばねを配置させるようにして、これらのスイッチ基板と板ばね付きシートとを一体化したことを特徴とする入力装置。
【発明の詳細な説明】
【技術分野】
【０００１】
本発明は、板ばねを保持する第１シートと、板ばねが収容される板ばね収容部を有する第２シートとを積層して成る板ばね付きシート、及びこの板ばね付きシートが備えられた入力装置に関する。
【背景技術】
【０００２】
この種の従来技術として、特許文献１に示されるものがある。この従来技術における板ばね付きシートは、例えば接点付きシートであり、下面に接着剤が塗布された絶縁フィルム製の第１シートと、この第１シートに保持される板ばね、すなわち金属製のドーム状の可動接点と、第１シートの下面に接着され、上述の板ばねである可動接点が収容される複数の板ばね収容部、すなわち接点収容部を有する第２シートとを備えた構成になっている。また、第２シートは、この第２シートに設けられる接点収容部に連結される連結溝も、すなわち第２シート内での空気移動を可能にさせる空気溝も備えた構成になっている。
【０００３】
また、上述した接点付きシートが備えられる従来技術におけるシートスイッチ、すなわち入力装置は、固定接点を有する回路基板を備え、この回路基板上に接点付きシートが、その可動接点が回路基板の固定接点に対向するように配置されて積層され、一体化された構成となっている。
【特許文献１】特開２００１−１４９７３公報
【発明の開示】
【発明が解決しようとする課題】
【０００４】
上述した従来技術では、様々な可動接点すなわち板ばねの配置形態に対応させるために、空気溝の幅寸法を広く設定したい場合がある。しかし、従来技術において、空気溝の幅寸法を広く設定した場合であってスイッチ基板や筐体等の電子機器にこの接点付きシートが積層されるときには、第１シートの接着剤つまり粘着部が第２シートの空気溝内に入り込んで、この第１シートが電子機器に貼り付き、板ばねの操作に伴う空気の流れを阻害してしまう虞があった。このように空気の流れが阻害された場合には、板ばねの円滑な押圧操作が難しくなり、操作性が悪化してしまう。
【０００５】
本発明は、上述した従来技術における実状からなされたもので、その目的は、第２シートの空気溝の幅寸法を比較的広く設定した場合でも、第１シートと第２シートとの積層時における第１シートの粘着部の空気溝内への入り込みを防ぐことができる板ばね付きシート、及び入力装置を提供することにある。
【課題を解決するための手段】
【０００６】
この目的を達成するために、本発明の板ばね付きシートは、板ばねを保持する粘着部を有する第１シートに、上記板ばねが収容される板ばね収容部と、この板ばね収容部に連通する貫通孔から成る空気溝とを有する第２シートを積層して一体化して成る板ばね付きシートであって、上記第２シートに形成された空気溝に対向する上記第１シートの部分に非粘着部を設けたことを特徴としている。
【０００７】
このように構成した本発明の板ばね付きシートは、板ばねの押圧操作に際し、板ばねの変形に伴って、板ばね収容部と空気溝との間で空気を移動させることができ、これにより板ばねの押圧操作を円滑に行わせることができる。また、上述の第２シートに形成された空気溝に対向する第１シートの部分に非粘着部を設けてあるので、空気溝の幅寸法を比較的広く設定した場合でも、第１シートの粘着部の第２シートに形成された空気溝内への入り込みを防ぐことができる。したがって、空気溝における第１シートの貼り付きを防止でき、空気溝の安定した形状を確保でき、板ばねの押圧操作に伴う空気の移動を円滑に行わせることができる。
【０００８】
また、本発明の板ばね付きシートは、上記発明において、上記第１シートの上記非粘着部を、上記第２シートの上記空気溝に沿って部分的に設けたことを特徴としている。このように構成した本発明の板ばね付きシートは、非粘着部を空気溝に沿って部分的に形成したので、空気溝の周囲を含む部分には粘着部を形成することができ、この粘着部を介して第１シートと第２シートとを、板ばねが第２シートの板ばね収容部内に収容された状態で、確実に積層させることができる。
【０００９】
また、本発明の板ばね付きシートは、上記発明において、上記第１シートの上記非粘着部を、上記第２シートの上記空気溝よりも長さ方向及び幅方向に大きく形成したことを特徴としている。このように構成した本発明の板ばね付きシートは、第１シートと第２シートとの積層、貼り付け時に位置ずれを生じていても、第２シートの空気溝内への第１シートの粘着部の入り込みを確実に防止でき、第１シートの非粘着部と第２シートの空気溝との間で所望の空気流路を確保することができる。
【００１０】
また、本発明の板ばね付きシートは、上記発明において、上記第１シートの上記粘着部、及び上記非粘着部を印刷によって形成したことを特徴としている。このように構成した本発明の板ばね付きシートは、粘着部と非粘着部の様々なレイアウトを簡単に実現できる。
【００１１】
また、本発明の板ばね付きシートは、上記発明において、上記板ばねが、スイッチ部を形成する可動接点から成ることを特徴としている。このように構成した本発明の板ばね付きシートは、操作感触を得るための板ばねと、スイッチ部を形成する可動接点とを兼用させることができ、入力装置を製作する場合の部品数の低減に貢献するとともに、入力装置が簡単になる。
【００１２】
また、上記第２シートの上記第１シートが積層される面と反対側の面に粘着部を設け、この粘着部に上記第２シートからの剥離が可能な剥離シートを接着したことを特徴としている。このように構成した本発明の板ばね付きシートは、スイッチ基板や筐体等の電子部品への実装に際しては、剥離シートを剥がすことにより第２シートの粘着部が露出し、この粘着部を介して板ばね付きシートを電子部品に簡単に取り付けることができる。
【００１３】
また、上記目的を達成するために、本発明の入力装置は、スイッチ基板に、上述した板ばね付きシートを積層し、上記スイッチ基板に形成されるスイッチ部に上記板ばね付きシートの上記板ばねを配置させるようにして、これらのスイッチ基板と板ばね付きシートとを一体化したことを特徴としている。
【００１４】
このように構成した本発明の入力装置は、板ばね付きシートの第１シートに保持される板ばねの押圧操作に際し、板ばねの変形に伴って、第２シートの板ばね収容部と空気溝との間で空気を移動させることができ、これにより板ばねの押圧操作を円滑に行わせることができる。また、上述の第２シートの空気溝に対向する第１シートの部分に非粘着部を設けてあるので、空気溝の幅寸法を比較的広く設定した場合でも、第１シートの粘着部の第２シートに形成された空気溝内への入り込みを防ぐことができる。したがって、空気溝における第１シートの貼り付きを防止でき、空気溝の安定した形状を確保でき、板ばねの押圧操作に伴う空気の移動を円滑に行わせることができる。
【発明の効果】
【００１５】
本発明の板ばね付きシート、及び入力装置は、第２シートの空気溝に対向する第１シートの部分に、非粘着部を形成するように構成したので、空気溝の幅寸法を比較的広く設定した場合でも、従来生じる虞のあった第１シートの粘着部の第２シートに形成された空気溝内への入り込みを防ぐことができる。したがって、空気溝における第１シートの貼り付きを防止でき、空気溝の安定した形状を確保でき、板ばねの押圧操作に伴う空気の移動を円滑に行わせることができ、板ばねの優れた操作性を確保できる。
【発明を実施するための最良の形態】
【００１６】
以下，本発明に係る板ばね付きシート、及び入力装置を実施するための最良の形態を図に基づいて説明する。
【００１７】
［板ばね付きシートの一実施形態の構成］
図１〜６は本発明に係る板ばね付きシートの一実施形態を説明する図で、図１は平面図、図２は図１のＡ−Ａ断面拡大図である。図３はＥＬシートと絶縁性シートとを積層して一体化させた状態を示す図で、（ａ）図は平面図、（ｂ）図は裏面図である。図４はＥＬシートを示す図で、（ａ）図は平面図、（ｂ）図は裏面図、図５は絶縁性シートを示す平面図である。図６はＥＬシートと絶縁性シートとを積層して一体化させた状態において、ＥＬシートの非粘着部と絶縁性シートの空気溝との配置関係を示す裏面図である。
【００１８】
本実施形態の板ばね付きシートは、例えば接点付きシートから成っている。この接点付きシートは、図１，２に示すように、金属製のドーム状の板ばね、すなわち可動接点５を保持する粘着部１ｃを下面に有する第１シート、例えばＥＬ（エレクトロルミネッセンス）素子から成るＥＬシート１と、このＥＬシート１の粘着部に接着され、可動接点５が収容される板ばね収容部を形成する接点収容部２ａ、及びこの接点収容部２ａに連通する貫通孔から成る空気溝２ｂを有する第２シート、すなわち絶縁性シート２とを備えている。
【００１９】
ＥＬシート１には、図３，４にも示すように、複数の可動接点５のそれぞれに対応する位置に印刷によって照光部１ａが形成され、一方の端部に入力部１ｂが形成されている。
【００２０】
本実施形態の接点付きシートは、特に、図４，６に示すように、絶縁性シート１の空気溝２ｂに対向するＥＬシート１の部分に、非粘着部１ｄを設けてある。この非粘着部１ｄは、絶縁性シート２の空気溝２ｂに沿って部分的に設けてあるとともに、例えば空気溝２ｂよりも長さ方向及び幅方向に大きく形成してある。すなわち、ＥＬシート１の裏面には、可動接点５を保持し絶縁性シート２との接着を可能にする粘着部１ｃと、例えば隣接する接点収容部２ａ同士を連通させ、絶縁性シート２の空気溝２ｂとの間で空気流路を形成する非粘着部１ｄとを印刷形成してある。なお、粘着部１ｃは、ドット状、帯状、格子状等の様々な形状に印刷可能である。
【００２１】
また、図２に示すように、本実施形態の接点付きシートは、絶縁性シート２のＥＬシート１が積層される面と反対側の面、すなわち下面に粘着部を設けてあり、この粘着部に絶縁性シート２からの剥離が可能な剥離シート３を接着させてある。
【００２２】
なお、上述した絶縁性シート２と剥離シート３が接着された状態で、所定の打ち抜き金型によってこれらの絶縁性シート２と剥離シート３とが一緒に打ち抜かれ、これによって接点収容部２ａが貫通孔として形成されるようになっている。
【００２３】
上述のように構成した本実施形態の接点付きシートは、搬送等に際しては、図２に示すように、絶縁性シート２に剥離シート３を接着させ、さらに剥離シート３に保護シート４を接着させた状態で搬送等の処理がなされる。また、スイッチ基板や筐体等の電子部品への実装に際しては、保護シート４を剥がし、さらに剥離シート３を剥がすことにより、絶縁性シート２の粘着部が露出し、この粘着部を介してＥＬシート１及び絶縁性シート２を含むこの接点付きシートが、電子部品に取り付けられる。このように構成した本実施形態の接点付きシートは、以下に述べるように入力装置に組み込まれて活用される。
【００２４】
［入力装置の一実施形態の構成］
図７は本発明に係る入力装置の一実施形態を示す要部断面図である。
【００２５】
この図７に示すように、本実施形態の入力装置は、中央固定接点１０ａ及び周辺固定接点１０ｂの組み合わせから成る複数の固定接点が形成されたスイッチ基板１０とともに、上述した可動接点５を保持するＥＬシート１、及び接点収容部２ａと空気溝２ｂとを有する絶縁性シート２を含む板ばね付きシート、すなわち図１〜６に示した接点付きシート１１を備えている。この接点付きシート１１の裏面には、上述した図４，６に示したＥＬシート１の非粘着部１ｄが絶縁性シート２の空気溝２ｂに対向するように形成され、上述したようにこれらの非粘着部１ｄと空気溝２ｂとによって、例えば隣接する接点収容部２ａ同士を連通させる空気流路が形成されている。
【００２６】
また、絶縁性シート１に保持される可動接点５のそれぞれと、スイッチ基板１０に設けられる中央固定接点１０ａ及び周辺固定接点１０ｂを含む固定接点のそれぞれとを対向させるようにして、これらのスイッチ基板１０と接点付きシート１１とを一体化してある。可動接点５は、周辺固定接点１０ｂに常時導通し、中央固定接点１０ａに選択的に導通するようになっている。これらの可動接点５と、中央固定接点１０ａ及び周辺固定接点１０ｂから成る固定接点とによって、スイッチング部が構成されている。
【００２７】
接点付きシート１１の上方は、ケース１４によって覆われ、このケース１４には、複数の操作部１５が上下動可能に取り付けられている。操作部１５は、この操作部１５の下方部分を形成する押圧部１５ａが、可動接点５に対応して設けられているＥＬシート１の照光部１ａの部分を押圧可能なように、すなわち照光部１ａを介して可動接点５を押圧可能なように配置されている。
【００２８】
このように構成される本実施形態の入力装置では、図７に示す状態にあっては、接点付きシート１１の可動接点５がスイッチ基板１０の中央固定接点１０ａから離れていることから、中央固定接点１０ａと周辺固定接点１０ｂ間が遮断され、スイッチオフとなっている。この状態から操作部１５を下方へ押すと、操作部１５の押圧部１５ａがＥＬシート１を介して可動接点５を押圧し、この可動接点５がタクティールフィーリングを伴って反転して中央固定接点１０ａに導通する。これによって、可動接点５を介して中央固定接点１０ａと周辺固定接点１０ｂとが導通し、スイッチオンとなる。なお、操作部１５の押圧部１５ａの押圧操作に伴って該当する可動接点５が収容される接点収容部２ａと隣接する説店収容部２ａとの間で、空気溝２ｂを介して空気の移動が行われる。
【００２９】
［接点付きシート（板ばね付きシート）の一実施形態の効果］
上述の図１〜６に示すように構成した板ばね付きシート、すなわち接点付きシートの一実施形態によれば、板ばね、すなわち可動接点５の押圧操作に際し、可動接点５の反転動作に伴って上述したように空気を、空気溝２ｂを介して隣接する接点収容部２ａ同士の間で移動させることができる。これにより、可動接点５の押圧操作を円滑に行わせることができる。
【００３０】
また、絶縁性シート２に形成された空気溝２ｂに対向するＥＬシート１の部分に非粘着部１ｄを設けてあるので、可動接点５のレイアウトなどに応じて空気溝２ｂの幅寸法を比較的広く設定した場合でも、ＥＬシート１の粘着部１ｃの絶縁性シート２に形成された空気溝２ｂ内への入り込みを防止することができる。したがって、空気溝２ｂにおける絶縁性シート１の貼り付きを防止でき、空気溝２ｂの安定した形状を確保でき、可動接点５の押圧操作に伴う空気の移動を円滑に行わせることができる。これにより、可動接点５の優れた操作性を確保できる。
【００３１】
また、ＥＬシート１の非粘着部１ｄを絶縁性シート２の空気溝２ｂに沿って部分的に形成したので、空気溝２ｂの周囲を含む部分には粘着部１ｃを形成することができ、この粘着部１ｃを介してＥＬシート１と絶縁性シート２とを、可動接点５が絶縁性シート２の接点収容部２ａ内に収容された状態で確実に積層させることができる。
【００３２】
また、ＥＬシート１の非粘着部１ｃを、絶縁性シート２の空気溝２ｂよりも長さ方向及び幅方向に大きく形成してあることから、ＥＬシート１と絶縁性シート２との積層、貼り付けに際して位置ずれを生じていても、絶縁性シート２の空気溝２ｂ内へのＥＬシート１の粘着部１ｃの入り込みを確実に防止できる。したがって、ＥＬシート１の非粘着部１ｄと絶縁性シート２の空気溝２ｂとの間で所望の空気流路を確保することができる。
【００３３】
また、ＥＬシート１の裏面に粘着部１ｃと非粘着部１ｄを印刷によって形成するので、これらの粘着部１ｃと非粘着部１ｄの様々なレイアウトを簡単に実現でき、各種の要望に応えることができる。
【００３４】
また、板ばねが可動接点５から成ることから、接触感触を得るための板ばねと、スイッチ部を形成する可動接点５とを兼用させることができ、図７に示したような入力装置を製作する場合の部品数の低減に貢献するとともに、入力装置の製作が簡単になる。これらによって、該当する入力装置の製作費を安くすることができる。
【００３５】
また、絶縁性シート２からの剥離が可能な剥離シート３を設けたことから、電子部品への実装に際しては、上述のようにこの剥離シート３を剥がすことにより絶縁性シート２の粘着部が露出し、この粘着部を介して接点付きシートを電子部品に簡単に取り付けることができ、使い勝手がよい。
【００３６】
なお、上記実施形態では、絶縁性シート２の上面に積層するシートとしてＥＬシート１を設けてあるが、本発明は、このように構成することには限定されない。ＥＬシート１に代えて、文字や数字、あるいは絵や記号などを表示する表示機能を有するシートとか、電磁波吸収機能を有するシート等を設ける構成にしてもよい。
【００３７】
また上記では、ＥＬシート１に保持される板ばねが可動接点５から成っているが、本発明は、板ばねをこのように可動接点５によって構成することには限定されない。例えば板ばねを、メンブレンスイッチを押圧可能なクリック用板ばね等によって構成してもよい。要するに、スイッチ基板１０上に形成されるスイッチ部に板ばねを配置した構成であればよい。
【００３８】
［入力装置の一実施形態の効果］
上述した図７に示すように構成した入力装置の一実施形態によれば、接点付きシート１１のＥＬシート１に保持される板ばね、すなわち可動接点５の押圧操作に際し、可動接点５の変形に伴って、絶縁性シート２の接点収容部２ａと空気溝２ｂとの間で空気を移動させることができ、これにより可動接点５の押圧操作を円滑に行なわせることができる。また、絶縁性シート２の空気溝２ｂに対向するＥＬシート１の部分に、非粘着部１ｄを設けてあるので、空気溝２ｂの幅寸法を比較的広く設定した場合でも、ＥＬシート１の粘着部１ｃの絶縁性シート２に形成された空気溝２ｂ内への入り込みを防ぐことができる。したがって、この空気溝２ｂにおけるＥＬシート１の貼り付きを防止でき、空気溝２ｂの安定した形状を確保でき、可動接点５の押圧操作に伴う空気の移動を円滑に行わせることができる。これにより、可動接点５の優れた操作性を確保できる。
【図面の簡単な説明】
【００３９】
【図１】本発明に係る板ばね付きシートの一実施形態を示す平面図である。
【図２】図１のＡ−Ａ断面拡大図である。
【図３】本発明に係る板ばね付きシートの一実施形態を構成するＥＬシートと絶縁性シートとを積層して一体化させた状態を示す図で、（ａ）図は平面図、（ｂ）図は裏面図である。
【図４】本発明に係る板ばね付きシートの一実施形態を構成するＥＬシートを示す図で、（ａ）図は平面図、（ｂ）図は裏面図である。
【図５】本発明に係る板ばね付きシートの一実施形態を構成する絶縁性シートを示す平面図である。
【図６】本発明に係る板ばね付きシートの一実施形態を構成するＥＬシートと絶縁性シートとを積層して一体化させた状態において、ＥＬシートの非粘着部と絶縁性シートの空気溝との配置関係を示す裏面図である。
【図７】本発明に係る入力装置の一実施形態を示す要部断面図である。
【符号の説明】
【００４０】
１    ＥＬシート（第１シート）
１ａ  照光部
１ｂ  入力部
１ｃ  粘着部
１ｄ  非粘着部
２    絶縁性シート（第２シート）
２ａ  接点収容部（板ばね収容部）
２ｂ  空気溝
３    剥離シート
４    保護シート
５    可動接点（板ばね）
１０    スイッチ基板
１０ａ  中央固定接点
１０ｂ  周辺固定接点
１１    接点付きシート（板ばね付きシート）
１４    ケース
１５    操作部
１５ａ  押圧部
【図１】
2007122970.tif 000003
【図２】
2007122970.tif 000004
【図３】
2007122970.tif 000005
【図４】
2007122970.tif 000006
【図５】
2007122970.tif 000007
【図６】
2007122970.tif 000008
【図７】
2007122970.tif 000009